(57)【要約】  使用者がシート状部材に簡単に着脱することができるシンプルな構造の送風装置を提供する。送風装置は、フランジ部２２及び筒状部２１を有するファン本体１０と、取付けリング５０とを備える。筒状部２１の外側には凹み２５が形成され、取付けリング５０の内面には突起が形成されている。取付けリング５０の内周の長さは筒状部２１の外周の長さよりも大きい。ファン本体１０のフランジ部２２の裏面と取付けリング５０の上端面とによってシート状部材２００の縁部を挟み込むと共に凹み２５と突起とを嵌合させることにより、取付けリング５０をファン本体１０に嵌合させて、送風装置をシート状部材２００に取り付ける。送風装置をシート状部材２００から取り外すときには、取付けリング５０を押圧して撓ませて、凹み２５と突起との嵌合を解除する。突起が形成された部位における取付けリング５０の外側には一又は複数の突起部を設けることが望ましい。
2016063416.tif 000002
【特許請求の範囲】
【請求項１】
シート状部材に取り付けられ、前記シート状部材の一方の側から他方の側へ向かう空気の流れを発生させるための送風装置であって、
ファン本体と、前記ファン本体を前記シート状部材に取り付けるための環状部材とを備え、
前記ファン本体は、中空状の筒状部と、前記筒状体の外面からその外面と略垂直な方向に突出するように前記筒状部に形成されたフランジ部と、モータを固定するためのモータ固定部と、前記モータ固定部に固定されたモータと、前記モータの回転軸に装着される羽根と、前記筒状部の互いに対向する一対の第一部位の外側に設けられた第一嵌合手段とを有し、
前記環状部材は、互いに対向する一対の第二部位の内側に設けられた、前記第一嵌合手段と嵌合する第二嵌合手段と、前記一対の第二部位の各々に対して当該第二部位及びその近傍における前記環状部材の外側に設けられた一又は複数の突起部とを有し、
前記一対の第二部位における前記環状部材の内側の間隔は前記一対の第一部位における前記筒状部の外側の間隔と同一であるか又は前記一対の第一部位における前記筒状部の外側の間隔より小さく、前記一対の第二部位と略９０度異なる二つの部位である一対の押圧部位における前記環状部材の内側の間隔は前記一対の第一部位と略９０度異なる二つの部位における前記筒状部の外側の間隔より大きく、前記環状部材の内周は前記筒状部の外周より大きく、且つ、前記環状部材は可撓性を有しており、
前記環状部材の可撓性を利用し前記筒状部の外側に前記環状部材を差し込んで、前記フランジ部の裏面と前記環状部材の一方の端面とによって前記シート状部材に形成された開口部の周囲における前記シート状部材の縁部を挟み込むと共に前記第一嵌合手段と前記第二嵌合手段とを嵌合させることにより、前記ファン本体を前記シート状部材に取り付け、
前記環状部材における前記一対の押圧部位を押圧し、前記環状部材を撓ませることにより、前記第一嵌合手段と前記第二嵌合手段との嵌合を解除して、前記ファン本体を前記シート状部材から取り外すことを特徴とする送風装置。
【請求項２】
前記環状部材の中心に対して対称な位置にある二つの前記突起部の外側の面の間隔が前記一対の押圧部位における前記環状部材の外側の間隔と略同じであることを特徴とする請求項１記載の送風装置。
【請求項３】
シート状部材に取り付けられ、前記シート状部材の一方の側から他方の側へ向かう空気の流れを発生させるための送風装置であって、
ファン本体と、前記ファン本体を前記シート状部材に取り付けるための環状部材とを備え、
前記ファン本体は、中空状の筒状部と、前記筒状体の外面からその外面と略垂直な方向に突出するように前記筒状部に形成されたフランジ部と、モータを固定するためのモータ固定部と、前記モータ固定部に固定されたモータと、前記モータの回転軸に装着される羽根と、前記筒状部の互いに対向する一対の第一部位の外側に設けられた第一嵌合手段とを有し、
前記環状部材は、互いに対向する一対の第二部位の内側に設けられた、前記第一嵌合手段と嵌合する第二嵌合手段を有し、
前記一対の第二部位における前記環状部材の内側の間隔は前記一対の第一部位における前記筒状部の外側の間隔と同一であるか又は前記一対の第一部位における前記筒状部の外側の間隔より小さく、前記一対の第二部位と略９０度異なる二つの部位である一対の押圧部位における前記環状部材の内側の間隔は前記一対の第一部位と略９０度異なる二つの部位における前記筒状部の外側の間隔より大きく、前記環状部材の内周は前記筒状部の外周より大きく、且つ、前記環状部材は可撓性を有しており、
前記環状部材の前記一対の押圧部位側の端部であって前記フランジ部と対向する側の外側の角部には面取りが施されており、
前記環状部材の可撓性を利用し前記筒状部の外側に前記環状部材を差し込んで、前記フランジ部の裏面と前記環状部材の一方の端面とによって前記シート状部材に形成された開口部の周囲における前記シート状部材の縁部を挟み込むと共に前記第一嵌合手段と前記第二嵌合手段とを嵌合させることにより、前記ファン本体を前記シート状部材に取り付け、
前記環状部材における前記一対の押圧部位を押圧し、前記環状部材を撓ませることにより、前記第一嵌合手段と前記第二嵌合手段との嵌合を解除して、前記ファン本体を前記シート状部材から取り外すことを特徴とする送風装置。
【請求項４】
前記環状部材の内周の長さは、前記筒状部の外周の長さよりも、その筒状部の外周の長さの１．０％〜３．５％大きいことを特徴とする請求項１、２又は３記載の送風装置。
【請求項５】
前記第一嵌合手段は、前記一対の第一部位における前記筒状部の外側に設けられた、下面に嵌合壁を有する凹み又は上面に嵌合壁を有する突起であり、前記第二嵌合手段は、前記一対の第二部位における前記環状部材の内側に設けられた、下面に嵌合壁を有する突起又は上面に嵌合壁を有する凹みであることを特徴とする請求項１、２、３又は４記載の送風装置。
【請求項６】
前記環状部材の高さは全周にわたり均一であり、前記第二嵌合手段はその上面及び下面に嵌合壁を有し、前記環状部材の上端面と前記第二嵌合手段の上面の嵌合壁との高さ方向の間隔と、前記環状部材の下端面と前記第二嵌合手段の下面の嵌合壁との高さ方向の間隔とが異なり、
前記ファン本体に前記環状部材を通常の方向で差し込んで前記第一嵌合手段と前記第二嵌合手段とを嵌合させたときの前記フランジ部の裏面と前記環状部材の対向する端面との間隔と、前記ファン本体に前記環状部材を上下逆さまにして差し込んで前記第一嵌合手段と前記第二嵌合手段とを嵌合させたときの前記フランジ部の裏面と前記環状部材の対向する端面との間隔とが異なることを特徴とする請求項５記載の送風装置
【請求項７】
前記一対の第一部位及び前記一対の第二部位のうち前記突起が設けられていない方の一対の部位に、前記ファン本体に前記環状部材を差し込む際に前記突起を誘導するためのガイド傾斜部を形成したことを特徴とする請求項５又は６記載の送風装置。
【請求項８】
前記第一嵌合手段は、前記一対の第一部位において前記筒状部の下方に延長された部位の外側に設けられた突起であり、前記第二嵌合手段は、前記一対の第二部位における前記環状部材の下端面であることを特徴とする請求項１、２、３又は４記載の送風装置。
【請求項９】
前記第一嵌合手段は、前記一対の第一部位における前記筒状部の下端部の外側に設けられた、上面に嵌合壁を有する突起であり、前記第二嵌合手段は、前記一対の第二部位における前記環状部材の下端部に設けられた切り欠き部であることを特徴とする請求項１、２、３又は４記載の送風装置。
【請求項１０】
前記筒状部をその中心軸に垂直な平面で切ったときの断面は円形状で、前記環状部材をその中心軸に垂直な平面で切ったときの断面は楕円形状であることを特徴とする請求項１乃至９のうち何れか一項記載の送風装置。
【請求項１１】
前記筒状部及び前記環状部材はそれぞれその中心軸に垂直な平面で切ったときの断面の形状が略四角形状であるように形成されていることを特徴とする請求項１乃至９のうち何れか一項記載の送風装置。
【発明の詳細な説明】
【技術分野】
【０００１】
本発明は、例えば空気を流通させることにより人体から出た汗を蒸発させる空気流通式マットや空調服等に使用され、それら空気流通式マットや空調服等の生地であるシート状部材に取り付けられる送風装置に関するものである。
【背景技術】
【０００２】
近年、空気を流通させることにより人体から出た汗を蒸発させる空気流通式マットや空調服等が実用化されている（例えば、特許文献１及び２参照。）。例えば、空調座布団のような空気流通式マットは、スペーサと、シート状部材と、送風装置とを備えている。スペーサは空気流通式マットの内部に空間を確保するためのものである。シート状部材はスペーサを覆うものであり、このシート状部材としては例えば布等が用いられる。送風装置はスペーサで確保された空間内に空気の流れを発生させるためのものである。この送風装置はシート状部材に取り付けられる。スペーサとしてきわめて空気抵抗の小さい構造のものを使用することにより、小さな消費電力で空気をスペーサで確保された空間に流通させることができる。
【先行技術文献】
【特許文献】
【０００３】
【特許文献１】日本国特許第４３９９７６５号公報
【特許文献２】日本国再公表特許第ＷＯ２００６／００９１０８号公報
【発明の概要】
【発明が解決しようとする課題】
【０００４】
ところで、空気流通式マットや空調服等に使用される送風装置については、空調効果を高めるため、作動時に送風装置の取付け部から空気が漏れたり、送風装置がシート状部材から容易に外れたりすることがないように、送風装置をシート状部材にしっかりと取り付ける必要がある。一方、シート状部材を洗濯する場合等には、使用者が送風装置をシート状部材から簡単に取り外すことができるようにする必要がある。【０００５】
従来の送風装置は一応はシート状部材に着脱可能に構成されている。しかしながら、実際には、使用者は送風装置をシート状部材に簡単に取り付けることができず、シート状部材から簡単に取り外すこともできなかった。このように、従来の送風装置については着脱性がよくないという問題があった。【０００６】
本発明は上記事情に基づいてなされたものであり、使用者がシート状部材に簡単に着脱することができるシンプルな構造の送風装置を提供することを目的とするものである。
【課題を解決するための手段】
【０００７】
上記の目的を達成するための本発明は、シート状部材に取り付けられ、シート状部材の一方の側から他方の側へ向かう空気の流れを発生させるための送風装置であって、ファン本体と、ファン本体をシート状部材に取り付けるための環状部材とを備え、ファン本体は、中空状の筒状部と、筒状体の外面からその外面と略垂直な方向に突出するように筒状部に形成されたフランジ部と、モータを固定するためのモータ固定部と、モータ固定部に固定されたモータと、モータの回転軸に装着される羽根と、筒状部の互いに対向する一対の第一部位の外側に設けられた第一嵌合手段とを有し、環状部材は、互いに対向する一対の第二部位の内側に設けられた、第一嵌合手段と嵌合する第二嵌合手段と、一対の第二部位の各々に対して当該第二部位及びその近傍における環状部材の外側に設けられた一又は複数の突起部とを有し、一対の第二部位における環状部材の内側の間隔は一対の第一部位における筒状部の外側の間隔と同一であるか又は一対の第一部位における筒状部の外側の間隔より小さく、一対の第二部位と略９０度異なる二つの部位である一対の押圧部位における環状部材の内側の間隔は一対の第一部位と略９０度異なる二つの部位における筒状部の外側の間隔より大きく、環状部材の内周は筒状部の外周より大きく、且つ、環状部材は可撓性を有しており、環状部材の可撓性を利用し筒状部の外側に環状部材を差し込んで、フランジ部の裏面と環状部材の一方の端面とによってシート状部材に形成された開口部の周囲におけるシート状部材の縁部を挟み込むと共に第一嵌合手段と第二嵌合手段とを嵌合させることにより、ファン本体をシート状部材に取り付け、環状部材における一対の押圧部位を押圧し、環状部材を撓ませることにより、第一嵌合手段と第二嵌合手段との嵌合を解除して、ファン本体をシート状部材から取り外すことを特徴とするものである。【０００８】
また、上記の目的を達成するための本発明は、シート状部材に取り付けられ、シート状部材の一方の側から他方の側へ向かう空気の流れを発生させるための送風装置であって、ファン本体と、ファン本体をシート状部材に取り付けるための環状部材とを備え、ファン本体は、中空状の筒状部と、筒状体の外面からその外面と略垂直な方向に突出するように筒状部に形成されたフランジ部と、モータを固定するためのモータ固定部と、モータ固定部に固定されたモータと、モータの回転軸に装着される羽根と、筒状部の互いに対向する一対の第一部位の外側に設けられた第一嵌合手段とを有し、環状部材は、互いに対向する一対の第二部位の内側に設けられた、第一嵌合手段と嵌合する第二嵌合手段を有し、一対の第二部位における環状部材の内側の間隔は一対の第一部位における筒状部の外側の間隔と同一であるか又は一対の第一部位における筒状部の外側の間隔より小さく、一対の第二部位と略９０度異なる二つの部位である一対の押圧部位における環状部材の内側の間隔は一対の第一部位と略９０度異なる二つの部位における筒状部の外側の間隔より大きく、環状部材の内周は筒状部の外周より大きく、且つ、環状部材は可撓性を有しており、環状部材の一対の押圧部位側の端部であってフランジ部と対向する側の外側の角部には面取りが施されており、環状部材の可撓性を利用し筒状部の外側に環状部材を差し込んで、フランジ部の裏面と環状部材の一方の端面とによってシート状部材に形成された開口部の周囲におけるシート状部材の縁部を挟み込むと共に第一嵌合手段と第二嵌合手段とを嵌合させることにより、ファン本体をシート状部材に取り付け、環状部材における一対の押圧部位を押圧し、環状部材を撓ませることにより、第一嵌合手段と第二嵌合手段との嵌合を解除して、ファン本体をシート状部材から取り外すことを特徴とするものである。【０００９】
上記の構成により、本発明の送風装置では、シート状部材に形成された開口部の周囲におけるシート状部材の縁部にファン本体のフランジ部の裏面が接するように、ファン本体を配置し、ファン本体の第一嵌合手段の位置と環状部材の第二嵌合手段の位置とを合わせて、環状部材の可撓性を利用してファン本体の下方から環状部材をファン本体の筒状部の外側に差し込み、ファン本体の第一嵌合手段と環状部材の第二嵌合手段とを嵌合させることにより、環状部材をファン本体に簡単に取り付けて、しっかりと固定することができる。こうして環状部材とファン本体とが固定されると、シート状部材の開口部の周囲におけるシート状部材の縁部がファン本体のフランジ部の裏面と環状部材の一方の端面とにより挟み込まれるので、結果として送風装置をシート状部材に強固に取り付けることができる。また、送風装置をシート状部材から取り外すには、例えば親指と人差し指とで環状部材の一対の押圧部位をつまみ、環状部材の可撓性を利用して、一対の押圧部位をその内面がファン本体の筒状部の外面に接するように押圧すればよい。これにより、環状部材の一対の第二部位の付近は膨らみ、第一嵌合手段と第二嵌合手段との嵌合状態が解除されるので、環状部材をファン本体から容易に取り外すことができる。このように、本発明の送風装置はシンプルな構造であり、使用者はこの送風装置をシート状部材に簡単に取り付け、簡単に取り外すことができる。【００１０】
また、本発明の送風装置では、一対の第二部位の各々に対して当該第二部位及びその近傍における環状部材の外側に一又は複数の突起部を設けることにより、又は、環状部材の一対の押圧部位側の端部であってフランジ部と対向する側の外側の角部に面取りを施すことにより、シート状部材と接する環状部材の形状が実質的に円形に近くなるので、何らかの原因でシート状部材の内側から外側に向かう力が本発明の送風装置に加わっても、環状部材には均等な力が作用するようになるので、環状部材の脱落を防止することができる。
【発明の効果】
【００１１】
本発明の送風装置はシンプルな構造であり、使用者はこの送風装置をシート状部材に簡単に取り付け、簡単に取り外すことができる。
【図面の簡単な説明】
【００１２】
【図１】図１（ａ）は本発明の第一実施形態である送風装置を用いた椅子用の空気流通式マットの使用状態における概略斜視図、図１（ｂ）はその空気流通式マットの使用状態における概略断面図である。
【図２】図２（ａ）は第一実施形態の送風装置の概略正面図、図２（ｂ）はその送風装置の概略側面図である。
【図３】図３（ａ）はシート状部材に形成された開口部を説明するための図、図３（ｂ）はシート状部材に送風装置を取り付けた状態を説明するための概略側面図である。
【図４】図４（ａ）は第一実施形態の送風装置における本体ケースの概略側面図、図４（ｂ）はその本体ケースのうち、本発明の主要部分であるフランジ付き筒状部の概略側面図、図４（ｃ）は図４（ｂ）に示すフランジ付き筒状部をその中心軸の回りに９０度回転させたときのフランジ付き筒状部の概略側面図、図４（ｄ）はそのフランジ付き筒状部のＡ−Ａ矢視方向概略断面図である。
【図５】図５（ａ）は第一実施形態の送風装置における取付けリングの概略正面図、図５（ｂ）はその取付けリングの概略側面図、図５（ｃ）はその取付けリングのＢ−Ｂ矢視方向概略断面図、図５（ｄ）はその取付けリングのＣ−Ｃ矢視方向概略断面図である。
【図６】図６（ａ）は第一実施形態の送風装置におけるフランジ付き筒状部の概略斜視図、図６（ｂ）はそのフランジ付き筒状部のＤ−Ｄ矢視方向概略断面図である。
【図７】図７（ａ）はフランジ付き筒状部と取付けリングとの嵌合状態を説明するための概略部分断面図、図７（ｂ）は取付けリングを上下逆にしたときのフランジ付き筒状部と取付けリングとの嵌合状態を説明するための概略部分断面である。
【図８】図８（ａ）はファン本体をシート状部材の開口部に差し入れたときの様子を説明するための概略側面図、図８（ｂ）はシート状部材の開口部に送風装置を取り付けたときの様子を説明するための概略側面図である。
【図９】図９（ａ）は取付けリングが取り付けられたファン本体の概略裏面図、図９（ｂ）はそのファン本体において取付けリングの一対の押圧部位を中心に向かって押圧したときの状態を説明するための概略裏面図である。
【図１０】図１０は折れ曲がったシート状部材２００から取付けリング５０が受ける力を示す図である。
【図１１】図１１（ａ）は面取りが施された取付けリングの概略平面図、図１１（ｂ）はその面取りが施された取付けリングを用いてシート状部材に送風装置を取り付けた状態を説明するための図である。
【図１２】図１２（ａ）は第二実施形態の送風装置におけるファン本体の概略裏面図、図１２（ｂ）は第二実施形態の送風装置における取付けリングの概略正面図である。
【図１３】図１３（ａ）は第三実施形態の送風装置におけるフランジ付き筒状部の概略斜視図、図１３（ｂ）はそのフランジ付き筒状部のＥ−Ｅ矢視方向概略断面図、図１３（ｃ）は第三実施形態の送風装置における取付けリングの概略正面図、図１３（ｄ）はその取付けリングのＦ−Ｆ矢視方向概略断面図である。
【図１４】図１４（ａ）は第四実施形態の送風装置におけるフランジ付き筒状部の概略側面図、図１４（ｂ）はそのフランジ付き筒状部のＧ−Ｇ矢視方向概略断面図、図１４（ｃ）は第四実施形態の送風装置における取付けリングの概略斜視図、図１４（ｄ）はその取付けリングのＨ−Ｈ矢視方向概略断面図である。
【図１５】図１５（ａ）は第五実施形態の送風装置における取付けリングの概略平面図、図１５（ｂ）はその取付けリングの概略側面図、図１５（ｃ）は第五実施形態の送風装置の概略裏面図である。
【発明を実施するための形態】
【００１３】
以下に、図面を参照して、本願に係る発明を実施するための形態について説明する。尚、以下では、本発明の送風装置を椅子用の空気流通式マットに適用した場合について説明する。
【００１４】
［第一実施形態］
まず、本発明の第一実施形態について図面を参照して説明する。図１（ａ）は本発明の第一実施形態である送風装置を用いた椅子用の空気流通式マットの使用状態における概略斜視図、図１（ｂ）はその空気流通式マットの使用状態における概略断面図である。
【００１５】
椅子用の空気流通式マット１００は、椅子の座部に敷いて使用するものであり、図１（ａ）及び（ｂ）に示すように、袋状のシート状部材２００と、スペーサ１０２と、空気排出部１０３と、本発明の送風装置１と、この送風装置１に電力を供給するバッテリ等の電源供給部(図示せず)とを備える。
【００１６】
袋状のシート状部材２００はスペーサ１０２を覆うものである。このシート状部材２００としては、例えば布が用いられる。スペーサ１０２は、シート状部材２００内に空間を確保するためのものである。このシート状部材２００内の空間は、空気が流通する空気流通路となる。空気流通式マット１００の所定の端部には空気排出部１０３が設けられ、空気流通路を流通してきた空気はこの空気排出部１０３から外部に放出される。送風装置１は空気排出部１０３と離れたところに位置するシート状部材２００の所定部位に取り付けられている。詳しくは後述するが、送風装置１は、シート状部材２００に形成された開口部に配置され、その開口部の周囲におけるシート状部材２００の縁部に取り付けられる。この送風装置１は、シート状部材２００の一方の側から他方の側へ向かう空気の流れを発生させるためのものである。
【００１７】
送風装置１によりシート状部材２００内に取り込まれた外気は、スペーサ１０２で確保された空間を流通する。これにより、空気流通式マット１００を敷いて座っている使用者の体から出た汗をすばやく蒸発させ、臀部の蒸れを解消することができる。かかる空気流通式マット１００の原理や構造についての詳しい説明は、例えば国際公開第２００４／０１２５６４号パンフレット等の特許文献に記載されている。
【００１８】
尚、スペーサ１０２として、日本国特許第４０６７０３４号公報等の特許文献に記載されているような、空気抵抗のきわめて小さい構造のスペーサを使用することにより、第一実施形態の送風装置１として、送風圧力の低いプロペラ式のものを用いることができる。また、第一実施形態では、上述のように、外部の空気を送風装置１からシート状部材２００内に取り込んで空気排出部１０３から排出するように、送風装置１のプロペラを回転させる場合を考えることにするが、外部の空気を空気排出部１０３から取り込んで送風装置１から排出するように、送風装置１のプロペラを回転させるようにしてもよい。
【００１９】
次に、第一実施形態の送風装置１について詳しく説明する。図２（ａ）は第一実施形態の送風装置１の概略正面図、図２（ｂ）はその送風装置１の概略側面図である。図３（ａ）はシート状部材２００に形成された開口部を説明するための図、図３（ｂ）はシート状部材２００に送風装置１を取り付けた状態を説明するための概略側面図である。図４（ａ）は第一実施形態の送風装置１における本体ケースの概略側面図、図４（ｂ）はその本体ケースのうち、本発明の主要部分であるフランジ付き筒状部の概略側面図、図４（ｃ）は図４（ｂ）に示すフランジ付き筒状部をその中心軸の回りに９０度回転させたときのフランジ付き筒状部の概略側面図、図４（ｄ）はそのフランジ付き筒状部のＡ−Ａ矢視方向概略断面図である。図５（ａ）は第一実施形態の送風装置１における取付けリングの概略正面図、図５（ｂ）はその取付けリングの概略側面図、図５（ｃ）はその取付けリングのＢ−Ｂ矢視方向概略断面図、図５（ｄ）はその取付けリングのＣ−Ｃ矢視方向概略断面図である。図６（ａ）は第一実施形態の送風装置１におけるフランジ付き筒状部の概略斜視図、図６（ｂ）はそのフランジ付き筒状部のＤ−Ｄ矢視方向概略断面図である。
【００２０】
第一実施形態の送風装置１は、図２に示すように、ファン本体１０と、取付けリング（環状部材）５０とを備えている。ファン本体１０は、送風装置１の本来の機能である送風機能を実現するものであり、一方、取付けリング５０は、ファン本体１０をシート状部材２００に取り付けるための専用具としての役割を果たす。
【００２１】
ファン本体１０は、本体ケース１４と、本体ケースに内蔵されたモータ（図示せず）と、モータの回転軸に装着されたプロペラ（羽根）１２と、モータに電源を供給するためのコネクタ（図示せず）とにより構成されている。詳しい説明は省略するが、図４（ａ）に示す本体ケース１４は、上下二つの部分から構成され、これらの部分を組み合わせて合体させることにより形成される。尚、本発明は送風装置１をシート状部材２００に取り付ける技術に関するものであるので、モータやプロペラ１２についての詳細な説明は省略して、本体ケース１４と取付けリング５０との関係を中心に説明する。
【００２２】
次に、本体ケース１４について説明する。ここで、本体ケース１４を説明するに当たり、本体ケース１４を、便宜上、図４（ａ）に示すように、上から、第一流通部１５、フランジ付き筒状部２０、第二流通部１６と称する３つの部分に分けて考えることにする。尚、本明細書において参照する図面のうち、図４（ｂ），（ｃ），（ｄ）、図６、図７、図１１（ａ），（ｂ）、図１２（ａ），（ｂ）においては、本体ケース１４全体を図示するのではなく、第一流通部１５及び第二流通部１６を省略して、フランジ付き円筒部２０だけを図示している。
【００２３】
第一流通部１５は、図２及び図４（ａ）に示すように、円形状の中央基部１５１と、その中央基部１５１から放射状に伸びる複数の棒状部１５２と、その中央基部１５１を中心とする輪状部１５３とから構成されている。このように構成されているため、第一流通部１５は十分な通気性を有し、プロペラ１２が回転すると外気を内部に取り込むことができる。また、この第一流通部１５は、外部から指などが入らないようにして回転中のプロペラ１２から指を守るフィンガーガードの役目も果たす。第一流通部１５の下にはフランジ付き筒状部２０が連なっている。
【００２４】
フランジ付き筒状部２０は、図２及び図４に示すように、第一流通部１５の棒状部１５２に連なって形成されたフランジ部２２と、中空状の筒状部２１とからなる。筒状部２１をその中心軸に垂直な平面で切ったときの断面は円形状である。筒状部２１の所定部位には凹み（第一嵌合手段）２５が形成されている。フランジ付き筒状部２０の下には第二流通部１６が連なっている。
【００２５】
第二流通部１６は、図２（ｂ）及び図４（ａ）に示すように、複数の棒状部１６２及び輪状部１６３と、モータを固定するためのモータ固定部１６４と、モータ固定部１６４の下側に取り付けられたモータ蓋１６５とからなる。複数の棒状部１６２及び輪状部１６３からなる部分は十分な通気性を有しており、また、当該部分により、外部から指などが入らないようにして回転中のプロペラ１２から指を守ることができる。
【００２６】
このように本体ケース１４が構成されているため、モータ固定部１６４に固定されたモータが回転し、モータによりプロペラ１２が回転すると、第一流通部１５から外気を取り込み、第二流通部１６から排出することができる。
【００２７】
上述のように、本発明はシート状部材２００に開口された開口部に送風装置１を取り付ける技術に関するものであり、かかる技術に関連するのは、本体ケース１４の一部を構成するフランジ付き筒状部２０と、取付けリング５０とである。このため、フランジ付き筒状部２０についてもう少し詳しく説明する。
【００２８】
第一本実施形態では、図４（ｂ）に示すように、フランジ付き筒状部２０における筒状部２１の外径（外側の間隔）ｔは９０ｍｍである。この場合、図３（ａ）に示すように、シート状部材２００に形成する開口部２０１の内径ｃは９０〜９１ｍｍであり、筒状部２１の外径ｔと同一若しくはそれよりもわずかに大きくなっている。また、図２（ａ）及び図４（ｂ），（ｃ）に示すように、フランジ部２２は、円環状に形成され、筒状部２１の上端から筒状部２１の外面と略垂直な方向に突出している。このフランジ部２２の外径ｆはシート状部材２００に形成する開口部２０１の内径ｃに比べ十分に大きく、例えば９７ｍｍである。また、第二流通部１６の外径は、筒状部２１に連なる部分において９０ｍｍであり、下方に行くほど小さくなっている。
【００２９】
ファン本体１０の各寸法とシート状部材２００に形成された開口部２０１の寸法との関係が上述のようになっているので、シート状部材２００に形成された開口部２０１の上方からファン本体１０を容易に差し入れることができ、このとき、フランジ部２２の裏面が開口部２０１の縁部２０２の上面に接触する（図８（ａ）参照）。
【００３０】
また、図４（ｃ），（ｄ）及び図６に示すように、筒状部２１の中心軸に対して対称な二つの所定部位、すなわち筒状部２１の互いに対向する二つの所定部位（一対の第一嵌合部位（第一部位）２３）の外側にはそれぞれ、第一嵌合手段である凹み２５が設けられている。かかる凹み２５はファン本体１０に取付けリング５０を固定するためのものである。凹み２５は、正面から見ると略四角形状であり、筒状部２１の高さ方向に対して略中央に形成されている。また、凹み２５は、その下面に嵌合壁２５５を有する。ここでは、凹み２５の下面そのものが嵌合壁２５５に相当する。このため、嵌合壁２５５は筒状部２１の外面と略垂直に形成されている。更に、第一嵌合部位２３における筒状部２１の外側であって凹み２５の下方の部位には、ガイド傾斜部２８が形成されている。ガイド傾斜部２８は、図４（ｄ），図６（ｂ）に示すように、下方に行くにしたがって筒状部２１の厚さが薄くなるように形成されている。また、図４（ｃ）に示すように、ガイド傾斜部２８の横幅は上方では凹み２５の横幅と同程度であるが、下方に行くほど幅広になっている。
【００３１】
次に、取付けリング５０について説明する。図５（ａ）に示すように、取付けリング５０を上から見たときの形状（取付けリング５０をその中心軸に垂直な平面で切ったときの断面形状）は、楕円形状である。この取付けリング５０の短軸方向における互いに対向する二つの所定部位（一対の第二嵌合部位（第二部位）５３）の内側にはそれぞれ、第二嵌合手段である突起５２が設けられている。ここで、二つの突起５２を備える取付けリング５０は、プラスチック成型により一体的に形成されている。これにより、取付けリング５０は可撓性を有している。尚、取付けリング５０の高さは全周にわたり均一である。
【００３２】
突起５２は、図５（ｃ），（ｄ）に示すように、取付けリング５０の高さ方向に対して中央からやや下方に形成されている。二つの突起５２はそれぞれ、ファン本体１０の凹み２５と嵌合して、取付けリング５０を筒状部２１の外側に固定するためのものである。このため、二つの突起５２の位置関係は二つの凹み２５の位置関係と同じになっている。各突起５２は、図５（ａ），（ｃ），（ｄ）に示すように、略四角柱形状をしており、取付けリング５０の内側に向かって突出している。このように、突起５２の形状は凹み２５の形状に対応しているが、突起５２が凹み２５に嵌合することができるように、突起５２のサイズは凹み２５のサイズよりも若干小さくなっている。また、突起５２は、その下面に嵌合壁５２２を有する。ここでは、突起５２の下面そのものが嵌合壁５２２に相当する。このため、嵌合壁５２２は取付けリング５０の内面と略垂直に形成されている。突起５２の嵌合壁５２２と筒状部２１における凹み２５の嵌合壁２５５とが当接することにより、ファン本体１０と取付けリング５０との嵌合状態が実現される。尚、後述するように、取付けリング５０を上下逆にして使用する場合には、突起５２の上面が嵌合壁５２２としての役割を果たす。すなわち、突起５２はその上面及び下面に嵌合壁５２２を有する。このため、突起５２の上面は取付けリング５０の内面と略垂直に形成されている。
【００３３】
図５（ａ），（ｂ）に示すように、取付けリング５０の長軸方向における互いに対向する二つの部位、すなわち、一対の第二嵌合部位５３と略９０度異なる二つの部位（一対の押圧部位）５４の外面において、その上端部には「Ａ」という文字が、下端部には「Ｂ」という文字が記されている。第一実施形態では、後述するように、送風装置１が厚みの異なるシート状部材２００にも対応することができるように、取付けリング５０を、Ａ側を上にして使用したり、Ｂ側を上にして使用したりすることができる。「Ａ」「Ｂ」という文字は、取付けリング５０の向きを示す目印である。以下では、特に断らない限り、取付けリング５０を、Ａ側を上にしてファン本体１０に取り付けるものとする。
【００３４】
また、一対の第二嵌合部位５３における取付けリング５０の内側の間隔ｋ１は筒状部２１の外径ｔより小さく、一対の押圧部位５４における取付けリング５０の内側の間隔ｋ２は筒状部２１の外径ｔより大きくなっている。ここで、筒状部２１は円筒状に形成されているので、一対の第一嵌合部位２３における筒状部２１の外側の間隔も一対の第一嵌合部位と略９０度異なる二つの部位における筒状部２１の外側の間隔も同じｔである。具体的に、一対の第二嵌合部位５３における取付けリング５０の内側の間隔ｋ１は８８ｍｍ、一対の押圧部位５４における取付けリング５０の内側の間隔ｋ２は９５ｍｍである。この結果として、取付けリング５０の内周の長さは筒状部２１の外周の長さよりも大きく形成されている。取付けリング５０の内周の長さは、突起５２の高さ等により左右されるが、筒状部２１の外周の長さよりも、その筒状部２１の外周の長さの１．０％〜３．５％大きいことが望ましい。実際、第一実施形態では、取付けリング５０の内周の長さは、筒状部２１の外周の長さよりもその筒状部２１の外周の長さの約２％程度大きくなっている。
【００３５】
また、取付けリング５０の厚みは２ｍｍであり、その高さは筒状部２１の高さより少し低い。取付けリング５０は可撓性を有するので、例えば親指と人差し指で「Ａ」「Ｂ」と記された二つの部位（一対の押圧部位）５４をつまんで、押圧すると、取付けリング５０の短軸方向の部位が外側に膨らみ、上から見ると、取付けリング５０を略円形状に変形することができる。そして、その後、押圧する力を解放すると、取付けリング５０は元の楕円形状に戻ることになる。
【００３６】
取付けリング５０は、図２（ｂ）に示すように、ファン本体１０の筒状部２１の外面を覆うように取り付けられる。このとき、取付けリング５０の上端面はフランジ部２２の裏面と相対することになる。
【００３７】
次に、送風装置１をシート状部材２００に取り付ける手順を説明する。図７（ａ）はフランジ付き筒状部２０と取付けリング５０との嵌合状態を説明するための概略部分断面図、図７（ｂ）は取付けリング５０を上下逆にしたときのフランジ付き筒状部２０と取付けリング５０との嵌合状態を説明するための概略部分断面である。図８（ａ）はファン本体１０をシート状部材２００の開口部に差し入れたときの様子を説明するための概略側面図、図８（ｂ）はシート状部材２００の開口部に送風装置１を取り付けたときの様子を説明するための概略側面図である。
【００３８】
図３（ａ）に示すように、シート状部材２００には、送風装置１を取り付けるための開口部２０１が形成されている。この開口部２０１の形状は円形状であり、開口部２０１の内径ｃは円筒状の筒状部２１の外径ｔと同一であるか、それよりもわずかに大きくなっている。送風装置１をシート状部材２００に取り付けるには、図８（ａ）に示すように、まず、ファン本体１０を、シート状部材２００の開口部２０１に挿入して、フランジ部２２の裏面が開口部２０１の周囲に位置するシート状部材２００のリング状の縁部２０２と接するように配置する。
【００３９】
次に、例えば親指と人差し指とで取付けリング５０の一対の押圧部位５４をつまんで、図８（ａ）における矢印で示す方向に押圧し、取付けリング５０を撓ませて略円形状に変形させる。そして、取付けリング５０の変形状態に保ったまま、取付けリング５０の突起５２と筒状部２１の下部に設けたガイド傾斜部２８との位置が一致するようにして、取付けリング５０をファン本体１０の下方から筒状部２１の外側に差し込み、取付けリング５０の二つの突起５２をそれぞれ、ガイド傾斜部２８に沿って移動させる。このように、ガイド傾斜部２８はファン本体１０に取付けリング５０を差し込む際に突起５２を誘導する役割を果たす。その後、取付けリング５０の変形状態を解除し、さらに取付けリング５０を上方に移動させると、取付けリング５０の突起５２がファン本体１０の凹み２５に入り込んで、突起５２と凹み２５とが嵌合する。このとき、取付けリング５０の可撓性により、第二嵌合部位５３付近では取付けリング５０の内面が筒状部２１の外面に強く接している。このため、図７（ａ）に示すように凹み２５の嵌合壁２５５とそれに対応する突起５２の嵌合壁５２２が接するので、たとえファン本体１０とシート状部材２００との間に強い力が加わっても、突起５２と凹み２５との嵌合状態が解除されることはない。また、取付けリング５０の突起５２がファン本体１０の凹み２５に嵌合しているため、取付けリング５０がファン本体１０に対し回転することはない。
【００４０】
尚、図７（ａ）において、凹み２５の嵌合壁２５５と筒状部２１の外面とのなす角度、及び、突起５２の嵌合壁５２２と取付けリング５０の内面とのなす角度がともに鋭角となるように、嵌合壁２５５，５２２を形成することも可能である。この場合、嵌合壁２５５と嵌合壁５２２とを互いに食い込ませて、突起５２と凹み２５との嵌合状態をより強固にすることができる。
【００４１】
こうして、取付けリング５０がファン本体１０にしっかりと固定され、取付けリング５０とファン本体１０とが一体化することにより、図８（ｂ）に示すように、開口部２０１の周囲におけるシート状部材２００のリング状の縁部２０２がフランジ部２２の裏面と取付けリング５０の上端面とによって挟み込まれるので、送風装置１をシート状部材２００に簡単に且つ確実に取り付けることができる。尚、送風装置１をシート状部材２００に取り付けたとき、シート状部材２００のリング状の縁部２０２の上面はフランジ部２２の裏面に接し、シート状部材２００のリング状の縁部２０２の裏面は取付けリング５０の上端面に接するので、フランジ部２２と取付けリング５０との間から空気が漏れることはない。
【００４２】
ところで、空気流通式マットや空調服等では、使用目的に応じた厚さのシート状部材２００が用いられる。第一実施形態の送風装置１は、厚みの異なるシート状部材２００に対応することができるように設計されている。具体的に、この設計では、取付けリング５０の内面に設けられた突起５２は、図５（ｃ），（ｄ）に示すように、取付けリング５０の高さ方向に対して中央から少し下に偏った位置に設けられている。このため、取付けリング５０の上端面と突起５２の上面の嵌合壁５２２との高さ方向の間隔と、取付けリング５０の下端面と突起５２の下面の嵌合壁５２２との高さ方向の間隔とは異なる。図５（ｂ）に示すように押圧部位５４には「Ａ」「Ｂ」の表示がある。取付けリング５０の高さは全周にわたって均一であるので、取付けリング５０は、「Ａ」「Ｂ」の何れを上にしても使用することができる。図７（ａ）は取付けリング５０を「Ａ」を上にして使用した場合のフランジ付き筒状部２０と取付けリング５０との嵌合状態を示し、図７（ｂ）は取付けリング５０を「Ｂ」を上にして使用した場合のフランジ付き筒状部２０と取付けリング５０との嵌合状態を示している。取付けリング５０を「Ａ」を上にして使用すると、図７（ａ）に示すように、突起５２と凹み２５とを嵌合させたときのフランジ部２２の裏面と取付けリング５０の上端面との間隔ｓ１は小さく、したがって、このような取付けリング５０の使用方法は、シート状部材２００が薄手のものである場合に適している。一方、取付けリング５０を「Ｂ」を上にして使用すると、図７（ｂ）に示すように、突起５２と凹み２５とを嵌合させたときのフランジ部２２の裏面と取付けリング５０の上端面との間隔ｓ２は大きく、したがって、このような取付けリング５０の使用方法は、シート状部材２００が厚手のものである場合に適している。このように、第一実施形態の送風装置１は、厚みの異なるシート状部材２００に対応することができる。
【００４３】
尚、第一実施形態では、上記のように、第一嵌合手段である凹み２５を筒状部２１の高さ方向に対して中央に、第二嵌合手段である突起５２を取付けリング５０の高さ方向に対して中央から少し下に偏った位置に設けることにより、厚さの異なるシート状部材２００に対する対応を実現している。一般に、厚さの異なるシート状部材２００に対する対応を実現するためには、取付けリング５０をその上下を変えてファン本体１０に取り付けたときに、その上下に応じてフランジ部２２の裏面と取付けリング５０の上端面との間隔が異なればよく、筒状部２１の高さ方向に対する第一嵌合手段の位置及び取付けリング５０の高さ方向に対する第二嵌合手段の位置をそれぞれ、いろいろな位置に設計することが可能である。
【００４４】
次に、送風装置１をシート状部材２００から取り外す手順を説明する。図９（ａ）は取付けリング５０が取り付けられたファン本体１０の概略裏面図、図９（ｂ）はそのファン本体１０において取付けリング５０の一対の押圧部位５４を中心に向かって押圧したときの状態を説明するための概略裏面図である。
【００４５】
取付けリング５０は、上から見ると（図５（ａ）参照）、一対の第二嵌合部位５３における取付けリング５０の内側の間隔ｋ１がファン本体１０の筒状部２１の外径ｔよりも小さく、一対の押圧部位５４における取付けリング５０の内側の間隔ｋ２がファン本体１０の筒状部２１の外径ｔよりも大きく、且つ、取付けリング５０の内周の長さが筒状部２１の外周よりもその筒状部２１の外周の長さの約２％程度大きくなるような楕円形状に形成されている。このため、ファン本体１０に取付けリング５０が取り付けられた状態では、図９（ａ）に示すように、一対の第二嵌合部位５３の付近では取付けリング５０の内面は筒状部２１の外面に接している。一方、一対の押圧部位５４の付近では取付けリング５０の内面は筒状部２１の外面と接しておらず、取付けリング５０の内面と筒状部２１の外面との間には隙間８０が生じている。
【００４６】
送風装置１をシート状部材２００から取り外すには、まず、二つの押圧部位５４を、図９（ｂ）における矢印で示す方向に押圧する。具体的には、例えば親指と人差し指とで取付けリング５０の一対の押圧部位５４をつまみ、当該部位の内面がファン本体１０の筒状部２１の外面に接するように押圧する。すると、取付けリング５０の可撓性により、取付けリング５０における一対の第二嵌合部位５３の付近が膨らみ、突起５２と凹み２５との嵌合状態が解除される。次に、突起５２と凹み２５との嵌合状態を解除したまま、取付けリング５０をファン本体１０から下方に引き出す。こうして、取付けリング５０をファン本体１０から容易に取り外すことができる。
【００４７】
また、送風装置１をシート状部材２００から取り外す場合、取付けリング５０の一対の押圧部位５４を押圧して、同時に二箇所の嵌合状態を解除するのではなく、まず、一方の嵌合状態を解除した後に、他方の嵌合状態を解除するようにしてもよい。このような方法で取付けリング５０を取り外すのであれば、取付けリング５０の内周は筒状部２１の外周よりあまり大きくする必要はない。
【００４８】
第一実施形態の送風装置では、シート状部材のリング状の縁部にファン本体のフランジ部の裏面が接するように、ファン本体を配置し、ファン本体の凹みの位置と取付けリングの突起の位置とを合わせて、取付けリングの可撓性を利用してファン本体の下方から取付けリングをファン本体の筒状部の外側に差し込み、ファン本体の凹みと取付けリングの突起とを嵌合させることにより、取付けリングをファン本体に簡単に取り付けて、しっかりと固定することができる。こうして取付けリングとファン本体とが固定されると、シート状部材のリング状の縁部がファン本体のフランジ部の裏面と取付けリングの上端面とにより挟み込まれるので、結果として送風装置をシート状部材に強固に取り付けることができる。また、取付けリングの可撓性を利用して、一対の押圧部位をその内面がファン本体の筒状部の外面に接するように押圧し、取付けリングを撓ませることにより、取付けリングの一対の第二嵌合部位の付近は膨らみ、ファン本体の凹みと取付けリングの突起との嵌合状態を容易に解除することができるので、取付けリングをファン本体から簡単に取り外して、ファン本体をシート状部材から容易に取り外すことができる。このように、第一実施形態の送風装置はシンプルな構造であり、使用者はこの送風装置をシート状部材に簡単に取り付け、簡単に取り外すことができる。
【００４９】
また、第一実施形態の送風装置では、取付けリングの内周の長さは、筒状部の外周の長さよりも、その筒状部の外周の長さの１．０％〜３．５％大きくしている。これにより、取付けリングをファン本体に取り付ける作業及び取り外す作業をスムーズに行うことができる。
【００５０】
また、第一実施形態では、筒状部における一対の第一嵌合部位に、ファン本体に取付けリングを差し込む際に取付けリングの突起を誘導するためのガイド傾斜部を形成したことにより、取付けリングの突起をファン本体の凹みに誘導して、取付けリングをファン本体にスムーズに取り付けることができる。
【００５１】
更に、第一実施形態では、取付けリングの高さは全周にわたり均一であり、突起はその上面及び下面に嵌合壁を有し、取付けリングの上端面と突起の上面の嵌合壁との高さ方向の間隔と、取付けリングの下端面と突起の下面の嵌合壁との高さ方向の間隔とが異なり、ファン本体に取付けリングを通常の方向で差し込んで凹みと突起とを嵌合させたときのフランジ部裏面と取付けリングの対向する端面との間隔と、ファン本体に取付けリングを上下逆さまにして差し込んで凹みと突起とを嵌合させたときのフランジ部裏面と取付けリングの対向する端面との間隔とが異なっている。このため、取付けリングをその上下を変えて使用することにより、シート状部材が厚手のもの、薄手のもののいずれであっても、送風装置をシート状部材にしっかり固定することができる。
【００５２】
尚、本実施形態では、取付けリングをその上下を逆さまにしても使用することができるように、取付けリングにおける突起の上面及び下面にはともに嵌合壁を設けた場合について説明したが、取付けリングをその上下を変えて使用する必要がなければ、取付けリングの突起においては、その下面のみに嵌合壁を設けるようにすればよい。この場合、取付けリングにおける突起部の上部に、嵌合壁の代わりに傾斜部を形成すれば、取付けリングの取り付けをよりスムーズに行うことができる。
【００５３】
また、本実施形態では、一対の第二嵌合部位５３における取付けリング５０の内側の間隔ｋ１が筒状部２１の外径ｔより小さい場合について説明したが、一対の第二嵌合部位５３における取付けリング５０の内側の間隔ｋ１は筒状部２１の外径ｔと同一であってもよい。一対の第二嵌合部位５３の付近では取付けリング５０の内面が筒状部２１の外面に接すれば、取付けリング５０とファン本体１０とはしっかり固定されるからである。
【００５４】
更に、本実施形態においては、取付けリング５０の一対の押圧部位５４側の端部であってフランジ部２２と対向する側の外側の角部に面取りを施すことが望ましい。送風装置１をシート状部材２００に取り付けた状態では、送風装置１に何らかの原因でシート状部材２００の内側から外側に向かう力が加わると、送風装置１がシート状部材２００を押すことによりシート状部材２００が取付けリング５０の角部で折れ曲がり、その折れ曲がったシート状部材２００から取付けリング５０はその中心に向かう力を受ける。図１０は折れ曲がったシート状部材２００から取付けリング５０が受ける力を示す図である。このとき、仮に、取付けリングを上から見たときの形状がもし円形状であれば、取付けリングにはどの部位に対しても均等な力が作用するので、取付けリングが変形してしまうことはない。これに対して、本実施形態の取付けリング５０を上から見たときの形状は楕円形状であるので、取付けリング５０のうち一対の押圧部位（長軸方向における互いに対向する部位）５４には一対の第二嵌合部位（短軸方向における互いに対向する部位）５３に比べて大きな力が作用する。このため、一対の押圧部位５４は内側に押されて、取付けリング５０は円形状に変形し、ファン本体から外れてしまうことがある。取付けリング５０の一対の押圧部位５４側の端部であってフランジ部２２と対向する側の外側の角部に面取りを施すことにより、シート状部材２００と接する取付けリング５０の形状が実質的に円形に近くなるので、何らかの原因でシート状部材２００の内側から外側に向かう力が送風装置１に加わっても、一対の押圧部位５４がシート状部材２００から受ける力を軽減し、取付けリング５０の脱落を防止することができる。図１１（ａ）には面取りが施された取付けリング５０の概略平面図、図１１（ｂ）にはその面取りが施された取付けリング５０を用いてシート状部材２００に送風装置１を取り付けた状態を説明するための図を示す。この図１１では、取付けリング５０の一対の押圧部位５４及びその周辺部のうちその上側の外端部が、面取りが施された部位（面取り部）５４１である。また、図１１の例では、取付けリング５０の所定部位を平面で切り取ることにより当該部位に面取りを施しているが、一般には、取付けリング５０の所定部位を曲面で切り取ることにより当該部位に面取りを施すようにしてもよい。尚、第一実施形態の送風装置のみならず、以下に説明する各実施形態の送風装置においても、取付けリングの一対の押圧部位側の端部であってフランジ部と対向する側の外側の角部に面取りを施すことが望ましい。
【００５５】
（変形例）
次に、第一実施形態の変形例について説明する。
上記の第一実施形態では、第一嵌合手段が一対の第一嵌合部位２３における筒状部２１の外側に設けられた凹み２５であり、第二嵌合手段が一対の第二嵌合部位５３における取付けリング５０の内側に設けられた突起５２である場合について説明したが、この変形例では、第一嵌合手段として、凹みの代わりに突起を用い、第二嵌合手段として、突起の代わりに凹みを用いる。その他の構成は、上述した第一実施形態におけるものと同じであるので、ここでは、その詳細な説明を省略する。本変形例では、第一嵌合手段である突起の上面が嵌合壁となり、第二嵌合手段である凹みの上面が嵌合壁となる。また、第一実施形態ではガイド傾斜部を筒状部の一対の第一嵌合部位２３に設けていたが、本変形例ではガイド傾斜部を、突起が設けられていない一対の第二嵌合部位に設けるようにする。このように、突起と凹みが入れ替わっただけなので、本変形例の送風装置は、第一実施形態のものと同様に作用する。すなわち、送風装置の取り付け方、取り外し方は第一実施形態とまったく同じである。したがって、本変形例の送風装置は、第一実施形態と同様の効果を奏する。尚、この場合、第二嵌合手段としての凹みは貫通した孔であってもよい。
【００５６】
［第二実施形態］
次に、本発明の第二実施形態について説明する。図１２（ａ）は第二実施形態の送風装置におけるファン本体の概略裏面図、図１２（ｂ）は第二実施形態の送風装置における取付けリングの概略正面図である。
【００５７】
上記の第一実施形態では、ファン本体の筒状部をその中心軸に垂直な平面で切ったときの断面の形状が円形状である場合について説明したが、第二実施形態では、図１２（ａ）から分かるように、ファン本体１０ａの筒状部２１ａをその中心軸に垂直な平面で切ったときの断面の形状は例えば略四角形状としている。この筒状部２１ａの互いに対向する一対の第一嵌合部位２３の外側には、第一嵌合手段としての凹みが設けられている。この場合、図１２（ｂ）に示すように、取付けリング５０ａも、その中心軸に垂直な平面で切ったときの断面の形状がファン本体１０ａの筒状部２１ａの形状に応じた略四角形状であるように形成する。この取付けリング５０ａの互いに対向する一対の第二嵌合部位５３の内側には、第一嵌合手段と嵌合する第二嵌合手段としての突起５２ａが設けられている。但し、第二実施形態では、突起５２ａの付近における取付けリング５０ａは内側に撓んでおり、一対の第二嵌合部位５３における取付けリング５０ａの内側の間隔ｋ１は一対の第一嵌合部位２３における筒状部２１ａの外側の間隔ｔ１に比べて少し小さく形成されている。しかも、一対の第二嵌合部位５３が設けられていない取付けリング５０ａの互いに対向する二つの辺は、外側に少し膨らむように形成されている。したがって、第二実施形態では、第一実施形態と同様に、外側に膨らんだ二つの辺（一対の押圧部位）を押圧すれば、一対の第二嵌合部位５３の付近は外側に膨らむことになる。このため、この第二実施形態の送風装置は、上記第一実施形態の場合と同様の作用・効果を奏し、使用者はこの送風装置をシート状部材に簡単に取り付け、簡単に取り外すことができる。尚、第二実施形態におけるその他の構成は、上述した第一実施形態におけるものと同じであるので、ここでは、その詳細な説明を省略する。
【００５８】
［第三実施形態］
次に、本発明の第三実施形態について説明する。図１３（ａ）は第三実施形態の送風装置におけるフランジ付き筒状部の概略斜視図、図１３（ｂ）はそのフランジ付き筒状部のＥ−Ｅ矢視方向概略断面図、図１３（ｃ）は第三実施形態の送風装置における取付けリングの概略正面図、図１３（ｄ）はその取付けリングのＦ−Ｆ矢視方向概略断面図である。
【００５９】
第三実施形態では、図１３（ａ），（ｂ）に示すように、一対の第一嵌合部位２３における筒状部２１が下方に延長されている。そして、この延長された部位の外側に、第一嵌合手段としての突起２６が設けられている。ここで、この突起２６の上面が嵌合壁２５５ａである。また、突起２６の下部には、取付けリングの取り付けをスムーズに行うための傾斜部６１ａが形成されている。一方、図１３（ｃ），（ｄ）に示すように、取付けリング５０の一対の第二嵌合部位５３には第二嵌合手段が形成されておらず、一対の第二嵌合部位５３における取付けリング５０の上端部に、取付けリング５０の取り付けをスムーズに行うための傾斜部６１ｂが形成されている。第三実施形態では、第一実施形態と同様に、一対の押圧部位５４を押圧し、筒状部２１に形成された傾斜部６１ａと取付けリング５０に形成された傾斜部６１ｂとの位置を合わせて取付けリング５０をファン本体の下方から筒状部２１に差し込むことにより、取付けリング５０をファン本体に取り付ける。このとき、筒状部２１の嵌合壁２５５ａと取付けリング５０の下端面が嵌合する。すなわち、この場合、一対の第二嵌合部位５３における取付けリング５０の下端面が嵌合壁５２２ａの役目を果たし、第二嵌合手段とみなすことができる。このように筒状部２１の嵌合壁２５５ａと取付けリング５０の下端面５２２ａとが嵌合することにより、送風装置に外力が加わっても取付けリング５０がファン本体から外れることはない。また、第三実施形態では、一対の第一嵌合部位２３における筒状部２１の外面に、小さな窪み（回転止）６２ａが形成されると共に、取付けリング５０の対応する部位には小さな突起（回転止）６２ｂが形成されており、取付けリング５０をファン本体に取り付けたときに二つの回転止６２ａ，６２ｂが嵌合するようになっている。これにより、取付けリング５０が筒状部２１に対して回転するのを防止することができる。第三実施形態の送風装置はこのような構成されているため、第一実施形態と同様の作用・効果を奏し、使用者はこの送風装置をシート状部材に簡単に且つ着実に取り付け、簡単に取り外すことができる。尚、第三実施形態においてその他の構成は、上述した第一実施形態におけるものと同じであるので、ここでは、その詳細な説明を省略する。
【００６０】
［第四実施形態］
次に、本発明の第四実施形態について説明する。図１４（ａ）は第四実施形態の送風装置におけるフランジ付き筒状部の概略側面図、図１４（ｂ）はそのフランジ付き筒状部のＧ−Ｇ矢視方向概略断面図、図１４（ｃ）は第四実施形態の送風装置における取付けリングの概略斜視図、図１４（ｄ）はその取付けリングのＨ−Ｈ矢視方向概略断面図である。
【００６１】
上記の第三実施形態では、一対の第一嵌合部位における筒状部が下方に延長され、この延長された部位の外側に、第一嵌合手段としての突起が設けられていたが、第四実施形態では、図１４（ａ），（ｂ）に示すように、一対の第一嵌合部位２３における筒状部２１は下方に延長されることなく、その筒状部２１の下端部の外側に、第一嵌合手段としての突起２６が設けられている。ここで、この突起２６の上面が嵌合壁２５５ｂである。このため、その嵌合壁２５５ｂは筒状部２１の下端面より少し上側に位置する。一方、図１４（ｃ），（ｄ）に示すように、一対の第二嵌合部位５３における取付けリング５０の下端部には、筒状部２１に設けた突起２６に対応して切り欠き部５７が設けられている。ここで、この切り欠き部５７は第二嵌合手段であり、取付けリング５０において切り込まれた部分の上面が嵌合壁５２２ｂとなる。また、一対の第二嵌合部位５３における取付けリング５０の上端部の内側には、突起２６を誘導するためのガイド傾斜部５８が設けられている。第四実施形態の送風装置はこのような構成されているため、第三実施形態と同様の作用・効果を奏し、使用者はこの送風装置をシート状部材に簡単に且つ着実に取り付け、簡単に取り外すことができる。尚、第四実施形態においてその他の構成は、上述した第三実施形態におけるものと同じであるので、ここでは、その詳細な説明を省略する。
【００６２】
［第五実施形態］
次に、本発明の第五実施形態について説明する。図１５（ａ）は第五実施形態の送風装置における取付けリングの概略平面図、図１５（ｂ）はその取付けリングの概略側面図、図１５（ｃ）は第五実施形態の送風装置の概略裏面図である。
【００６３】
上記の第一実施形態において説明したように、折れ曲がったシート状部材からの力により取付けリングがファン本体から外れてしまうのを防止する方法として、取付けリングの一対の押圧部位側の端部であってフランジ部と対向する側の外側の角部に面取りを施す方法がある。しかし、折れ曲がったシート状部材からの力により取付けリングがファン本体から外れてしまうのを防止する方法としては、この面取りを施す方法に限らず、例えば、一対の第二嵌合部位の各々に対して当該第二嵌合部位及びその近傍における取付けリングの外側に複数の突起部を設ける方法を用いることができる。第五実施形態の送風装置は、一対の第二嵌合部位の各々に対して当該第二嵌合部位及びその近傍における取付けリングの外側に複数の突起部を設ける方法を適用して作製されたものである。
【００６４】
第五実施形態の送風装置では、図１５に示すように、一対の第二嵌合部位５３の各々に対して当該第二嵌合部位５３及びその近傍における取付けリング５０の外側に三つの突起部５３１が設けられている。また、取付けリング５０の中心に対して対称な位置にある二つの突起部５３１の外側の面の間隔ｋ３は、一対の押圧部位５４における取付けリング５０の外側の間隔ｋ４と略同じになっている。これにより、図１５（ｃ）において一点鎖線で示すように、シート状部材と接する取付けリング５０の形状が実質的に円形に近くなるので、何らかの原因でシート状部材の内側から外側に向かう力が送風装置に加わっても、取付けリング５０には均等な力が作用するようになるので、取付けリング５０の脱落を防止することができる。
【００６５】
尚、シート状部材と接する取付けリング５０の形状を実質的に円形に近づけるために、一対の第二嵌合部位５３の各々に対して当該第二嵌合部位５３及びその近傍における取付けリング５０の外側に一つの突出部を設けるようにしてもよい。但し、一つの突起部として幅広のものを設けると、第二嵌合部位５３付近における取付けリング５０の厚みが厚くなり、一対の押圧部位５４をつまんで押圧しても、取付けリング５０が変形しづらくなる。したがって、取付けリング５０が容易に変形できるように、幅の小さな突起部を複数個、例えば図１５に示すように一対の第二嵌合部位のそれぞれに３個（したがって合計６個）設けることが望ましい。
【００６６】
第五実施形態においてその他の構成は、上述した第一実施形態におけるものと同じであるので、ここでは、その詳細な説明を省略する。第五実施形態の送風装置は第一実施形態の送風装置と同様の作用・効果を奏する。特に、第五実施形態では、一対の第二嵌合部位の各々に対して当該第二嵌合部位及びその近傍における取付けリングの外側に三つの突起部を設けたことにより、シート状部材と接する取付けリングの形状が実質的に円形に近くなるので、何らかの原因でシート状部材の内側から外側に向かう力が送風装置に加わっても、取付けリングには均等な力が作用するようになるので、取付けリングの脱落を防止することができる。尚、第五実施形態の送風装置に適用した、一対の第二嵌合部位の各々に対して当該第二嵌合部位及びその近傍における取付けリングの外側に一又は複数の突起部を設ける方法は、上記各実施形態の送風装置に適用することができる。
【００６７】
［他の実施形態］
尚、本発明は上記の各実施形態に限定されるものではなく、その要旨の範囲内において種々の変形が可能である。
【００６８】
上記の各実施形態では、フランジ部が筒状体の上端から筒状体の外面と略垂直な方向に突出している場合について説明したが、一般に、フランジ部は、筒状体の外面からその外面と略垂直な方向に突出するように筒状部に形成することが可能である。例えば、フランジ部を筒状部の上端ではなく筒状部の略中央に形成するようにしてもよい。
【００６９】
上記の各実施形態では、第一嵌合部位に一つの凹み又は突起を形成し、第二嵌合部位に一つの突起又は凹みを形成した場合について説明したが、例えば、第一嵌合部位に複数の凹み又は突起を形成し、第二嵌合部位に複数の突起又は凹みを形成するようにしてもよい。この場合、各嵌合部位に形成された複数の凹み又は突起が本発明の第一嵌合手段又は第二嵌合手段に該当することになる。
【００７０】
また、上記の各実施形態では、本発明の送風装置を椅子用の空気流通式マットに適用した場合について説明したが、本発明の送風装置は、空気流通式マットに限らず、例えば空調服等、空気を内部に流通させる方式の各種の装置に適用することができる。
【産業上の利用可能性】
【００７１】
以上説明したように、本発明の送風装置では、シート状部材に形成された開口部の周囲におけるシート状部材の縁部にファン本体のフランジ部の裏面が接するように、ファン本体を配置し、ファン本体の第一嵌合手段の位置と環状部材の第二嵌合手段の位置とを合わせて、環状部材の可撓性を利用してファン本体の下方から環状部材をファン本体の筒状部の外側に差し込み、ファン本体の第一嵌合手段と環状部材の第二嵌合手段とを嵌合させることにより、環状部材をファン本体に簡単に取り付けて、しっかりと固定することができる。こうして環状部材とファン本体とが固定されると、シート状部材の開口部の周囲におけるシート状部材の縁部がファン本体のフランジ部の裏面と環状部材の一方の端面とにより挟み込まれるので、結果として送風装置をシート状部材に強固に取り付けることができる。また、送風装置をシート状部材から取り外すには、例えば親指と人差し指とで環状部材の一対の押圧部位をつまみ、環状部材の可撓性を利用して、一対の押圧部位をその内面がファン本体の筒状部の外面に接するように押圧すればよい。これにより、環状部材の一対の第二部位の付近は膨らみ、第一嵌合手段と第二嵌合手段との嵌合状態が解除されるので、環状部材をファン本体から容易に取り外すことができる。このように、本発明の送風装置はシンプルな構造であり、使用者はこの送風装置をシート状部材に簡単に取り付け、簡単に取り外すことができる。したがって、本発明の送風装置は、例えば空気を流通させる方式の空気流通式マットや空調服等に使用することができる。
【符号の説明】
【００７２】
１  送風装置
１０，１０ａ  ファン本体
１２  プロペラ（羽根）
１４  本体ケース
１５  第一流通部
１５１  中央基部
１５２  棒状部
１５３  輪状部
１６  第二流通部
１６２  棒状部
１６３  輪状部
１６４  モータ固定部
１６５  モータ蓋
２０  フランジ付き筒状部
２１，２１ａ  筒状部
２２  フランジ部
２３  第一嵌合部位（第一部位）
２５  凹み（第一嵌合手段）
２５５，２５５ａ，２５５ｂ  嵌合壁
２６  突起（第一嵌合手段）
２８  ガイド傾斜部
５０，５０ａ  取付けリング（環状部材）
５２，５２ａ  突起（第二嵌合手段）
５２２，５２２ａ，５２２ｂ  嵌合壁
５３  第二嵌合部位（第二部位）
５３１  突起部
５４  押圧部位
５４１  面取り部
５７  切り欠き部
５８  ガイド傾斜部
６１ａ，６１ｂ  傾斜部
６２ａ，６２ｂ  回転止
８０  隙間
１００  空気流通式マット
１０２  スペーサ
１０３  空気排出部
２００  シート状部材
２０１  開口部
２０２  縁部
ｃ  開口部の内径
ｆ  フランジ部の外径
ｋ１  一対の第二嵌合部位における取付けリングの内側の間隔
ｋ２  一対の押圧部位における取付けリングの内側の間隔
ｋ３  取付けリングの中心に対して対称な位置にある二つの突起部の外側の面の間隔
ｋ４  一対の押圧部位における取付けリングの外側の間隔
ｓ１，ｓ２  フランジ部の裏面と取付けリングの上端面との間隔
ｔ  筒状部の外径
ｔ１  一対の第一嵌合部位における筒状部の外側の間隔
【図１】
2016063416.tif 000003
【図２】
2016063416.tif 000004
【図３】
2016063416.tif 000005
【図４】
2016063416.tif 000006
【図５】
2016063416.tif 000007
【図６】
2016063416.tif 000008
【図７】
2016063416.tif 000009
【図８】
2016063416.tif 000010
【図９】
2016063416.tif 000011
【図１０】
2016063416.tif 000012
【図１１】
2016063416.tif 000013
【図１２】
2016063416.tif 000014
【図１３】
2016063416.tif 000015
【図１４】
2016063416.tif 000016
【図１５】
2016063416.tif 000017
【国際調査報告】
2016063416.tif 000018
2016063416.tif 000019
2016063416.tif 000020
2016063416.tif 000021